(57)【要約】【課題】袋状セパレータを用いた鉛蓄電池用極板群の短絡試験を確実に行なわせることができるようにすること。【解決手段】上部に耳部を有する正極板４及び負極板２の一方が袋状のセパレータ３に収容されている鉛蓄電池用極板群１の短絡試験を行なう際に、極板群１の上下方向の中央部よりも上端寄りの部分を加圧装置１０により極板群の積層方向に加圧した状態で、試験電圧印加装置１３から極板群１の正極板と負極板との間に試験電圧を印加することにより極板群１の短絡試験を行なう。【選択図】    図３
2007035306.tif 000002
【特許請求の範囲】
【請求項１】
上部に耳部を有する正極板及び負極板の一方が袋状のセパレータに収容されている鉛蓄電池用極板群の短絡試験方法であって、
前記極板群の上下方向の中央部よりも上端寄りの部分を極板群の積層方向に加圧した状態で前記極板群の正極板と負極板との間に試験電圧を印加することにより前記極板群の短絡試験を行なうことを特徴とする鉛蓄電池用極板群の短絡試験方法。
【発明の詳細な説明】
【技術分野】
【０００１】
本発明は、鉛蓄電池用極板群において極板間の短絡の有無を試験する短絡試験方法に関するものである。
【背景技術】
【０００２】
鉛蓄電池においては、その製造の過程で、隣り合う極板どうしが電気的に接触して短絡することがある。電極間の短絡は、特にセパレータからはみ出した状態になりやすい電極の上部側で多く生じる傾向がある。例えば、袋状のセパレータに正極板または負極板を収容した構造をとる場合には、特許文献１に示されているように、長尺の帯状セパレータを所定の長さに切断することにより形成した単位セパレータの中間部に電極を当てて該単位セパレータを二つ折りに折り曲げながらその間に電極を挟み込むことにより、二つ折りにされた単位セパレータの間に極板が挟み込まれた構造のセパレータ極板組立体を形成し、このセパレータ極板組立体の二つ折りにされた単位セパレータの幅方向の両端部分を接合することにより単位セパレータを袋状にしている。このような方法で袋状のセパレータを形成する場合には、単位セパレータを二つ折りにする際の折りずれや、セパレータの切断ミス等があった場合に、その影響がセパレータの開口部側（極板の上部側）で顕著に現われ、極板の上部がセパレータにより覆われない状態が生じることがある。そのため、極板群を電槽内に挿入して積層方向に加圧した際に、特に極板群の上部で隣り合う極板間の短絡が生じやすくなる。
【０００３】
上記のように極板間の短絡が生じた電池は不良品となる。不良品が出荷されるのを防ぐため、極板間で短絡が生じているか否かを試験することが必要になる。鉛蓄電池用極板群の短絡試験方法としては、特許文献２に示されているように、極板群を電槽内に挿入する前に、該極板群を積層方向に加圧した状態で極板間に試験電圧を印加して、短絡電流が流れるか否かを見る方法が知られている。
【０００４】
このように、極板群を積層方向に加圧した状態で試験電圧を印加するようにすれば、極板群を電槽内に挿入しなくても、電槽内に挿入したのと同様の状態を作り出すことができるため、極板群を電槽内に挿入する前の状態で極板間の短絡の可能性の有無を検出して、製品の良否を判定することができる。
【０００５】
特許文献２にも示されているように、従来の短絡試験方法では、試験電圧を印加する際に、極板群の中央部に加圧具を当てがって、極板群を積層方向に加圧するようにしていた。
【特許文献１】特公昭５３−１８２５４号公報
【特許文献２】特開２００１−２３６９８５号公報
【発明の開示】
【発明が解決しようとする課題】
【０００６】
上記のように、袋状のセパレータに負極板または正極板を収容した鉛蓄電池においては、極板群を電槽内に挿入した際に、極板群の上部で極板間の短絡が生じやすいが、従来の短絡試験方法では、極板群の中央部を加圧していたため、極板群を電槽内に挿入した際に短絡が生じ得る箇所が極板の上部に存在する場合に、それを検出することができないおそれがあった。
【０００７】
本発明の目的は、袋状のセパレータを用いた鉛蓄電池用極板群の短絡状態を確実に検出することができるようにした短絡試験方法を提案することにある。
【課題を解決するための手段】
【０００８】
本発明は、上部に耳部を有する正極板及び負極板の一方が袋状のセパレータに収容されている鉛蓄電池用極板群の短絡試験方法に係わるものである。本発明においては、極板群の上下方向の中央部よりも上端寄りの部分を極板群の積層方向に加圧した状態で極板群の正極板と負極板との間に試験電圧を印加することにより極板群の短絡試験を行なうようにした。
【０００９】
袋状のセパレータを用いた鉛蓄電池用極板群においては、セパレータを形成する際の不具合により、極板群の上部側で極板がセパレータからはみ出した状態になって、極板群を電槽内に挿入した際に極板群の上部で極板間の短絡が生じる可能性があるが、本発明においては、袋状セパレータを用いた場合に短絡箇所が生じ易い極板群の上端寄りの部分を極板群の積層方向に加圧した状態で極板間に試験電圧を印加するため、袋状セパレータを用いる鉛蓄電池用極板群の短絡箇所の有無の検出を、極板群を電槽内に挿入する前の状態で確実に行なわせることができる。
【発明の効果】
【００１０】
以上のように、本発明によれば、袋状セパレータを用いた場合に短絡箇所が生じ易い極板群の中央部よりも上端寄りの部分を極板群の積層方向に加圧した状態で極板間に試験電圧を印加するようにしたため、袋状セパレータを用いた鉛蓄電池用極板群の短絡試験を的確に行なうことができる。
【発明を実施するための最良の形態】
【００１１】
以下図面を参照して本発明の好ましい実施形態を詳細に説明する。
図１（Ａ）及び（Ｂ）は、本発明において試験の対象とする極板群１の一例を示したもので、これらの図において２は袋状セパレータ３内に収容された負極板、４は正極板で、負極板２及び正極板４はそれぞれの上部に耳部２ａ及び４ａを有している。袋状セパレータ３は、帯状のセパレータ素材を二つ折りにしてその間に負極板２を挟んだ後、幅方向の両端を接合することにより袋状にしたものである。図１（Ａ）において３ａ，３ａはセパレータ３の幅方向の両端の接合部を示している。また５は負極板２，２，…の耳部２ａ，２ａ，…を接続する負極ストラップ、６は正極板４の耳部４ａ，４ａ，…を接続する正極ストラップである。
【００１２】
本発明の短絡試験方法においては、極板群１を製作した後、極板群１の上下方向の中央部よりも上端寄りの部分を極板群１の積層方向に加圧した状態で、負極板と正極板との間に試験電圧を印加する。図２（Ａ），（Ｂ）は、極板群を加圧装置１０により加圧した状態を示している。図示の加圧装置１０は、極板群１の上下方向の中央部よりも上端寄りの部分で極板群１の両端の極板に外側から当接するように設けられた一対の加圧具１１，１１と、加圧具１１，１１を互いに離間させる方向と接近させる方向とに駆動する加圧シリンダ１２とからなっている。
【００１３】
短絡試験を行なう際には、極板群１を電槽内に挿入する前の状態で、該極板群１の上端寄りの部分を一対の加圧具１１，１１の間に挿入して、加圧シリング１２を付勢することにより極板群１の上端寄りの部分を積層方向に加圧する。
【００１４】
次いで図３（Ａ），（Ｂ）に示すように、試験電圧印加装置１３から極板群１の正極板と負極板との間に試験電圧を印加して短絡電流が流れるかどうかを見ることにより、短絡箇所の有無を判定する。図示の試験電圧印加装置１３は、絶縁板１４と、互いに平行に配置されて後端部が絶縁板１４に支持された電極１５及び１６と、これらの電極間に試験電圧を印加する直流電源１７とからなっている。電極１５及び１６は、それぞれの先端が負極ストラップ５及び正極ストラップ６に上方から接触し得るように、ストラップ５，６の中心間の距離にほぼ等しい間隔をもって配置されていて、これらの電極１５，１６をそれぞれストラップ５，６に接触させた状態で、電源１７から電極１５，１６間に試験電圧を印加することにより、極板群１の正極板、負極板間に試験電圧を印加することができるようになっている。
【００１５】
上記のように、極板群１の上下方向の中央部よりも上端寄りの部分を極板群の積層方向に加圧した状態で極板間に試験電圧を印加するようにすると、袋状セパレータを用いた鉛蓄電池用極板群において電槽内に挿入した際に短絡された状態になるおそれがある箇所を確実に短絡させた状態にして試験電圧を印加することができるため、短絡箇所の検出を確実に行なわせることができる。
【図面の簡単な説明】
【００１６】
【図１】（Ａ）及び（Ｂ）は本発明の試験方法において試験の対象とする極板群の一例を示した正面図及び左側面図である。
【図２】（Ａ）及び（Ｂ）は本発明の試験方法において試験の対象とする極板群を加圧した状態を示した正面図及び左側面図である。
【図３】（Ａ）及び（Ｂ）は本発明の試験方法において試験の対象とする極板群に試験電圧を印加する際の状態を示した正面図及び左側面図である。
【符号の説明】
【００１７】
１  極板群
２  負極板
３  袋状セパレータ
４  正極板
５  負極ストラップ
６  正極ストラップ
１０  加圧装置
１１  加圧具
１２  加圧シリンダ
１３  試験電圧印加装置
【図１】
2007035306.tif 000003
【図２】
2007035306.tif 000004
【図３】
2007035306.tif 000005